(57)【要約】【課題】  運転席の後側に粉粒体ホッパを幅広く設けた多条施用機にあっては、運転席、上に設けられるサンバイザでは、後下方の粉粒体ホッパとの上下間隔が大きく、又、粉粒体ホッパの横幅が広く、サンバイザの横方向へ大きく露出して、雨水の降りかかりを防止し難いものである。【解決手段】  運転席（１）の後側に左右横方向に沿って粉粒体を収容して繰出す幅広形態の粉粒体ホッパ（２）、及び繰出装置（３）を設けた多条施用機において、前記粉粒体ホッパー（２）の上方部を後下り、乃至左右下りに傾斜して覆うバイザ（４）を設けたことを特徴とする。【選択図】        図１
2007014264.tif 000002
【特許請求の範囲】
【請求項１】
運転席（１）の後側に左右横方向に沿って粉粒体を収容して繰出す幅広形態の粉粒体ホッパ（２）、及び繰出装置（３）を設けた多条施用機において、前記粉粒体ホッパー（２）の上方部を後下り、乃至左右下りに傾斜して覆うバイザ（４）を設けたことを特徴とする多条施用機。
【発明の詳細な説明】
【技術分野】
【０００１】
この発明は、施肥機、又は播種機等の多条施用機において、粉粒体形態の肥料や、種子粒等を収容する粉粒体ホッパの上側を覆う施用バイザの形態に関する。
【背景技術】
【０００２】
粉粒体である肥料を収容する幅広形態のホッパの上側は開閉可能のホッパ蓋を有する技術（例えば特許文献１参照）が知られている。又、運転席の上方にはサンバイザを設ける技術が周知である。
【特許文献１】特開２００４ー８１０９９号公報（第３頁、図１〜図４）
【発明の開示】
【発明が解決しようとする課題】
【０００３】
運転席の後側に粉粒体ホッパを幅広く設けた多条施用機にあっては、運転席、上に設けられるサンバイザでは、後下方の粉粒体ホッパとの上下間隔が大きく、又、粉粒体ホッパの横幅が広く、サンバイザが横方向へ大きく露出して、雨水の降りかかりを防止し難いものである。
【課題を解決するための手段】
【０００４】
請求項１に記載の発明は、運転席（１）の後側に左右横方向に沿って粉粒体を収容して繰出す幅広形態の粉粒体ホッパ（２）、及び繰出装置（３）を設けた多条施用機において、前記粉粒体ホッパー（２）の上方部を後下り、乃至左右下りに傾斜して覆うバイザ（４）を設けたことを特徴とする多条施用機の構成とする。多条施用機の粉粒体ホッパ（２）は、運転席（１）の後側に横方向へ幅広く形成されて、車体幅から外側へ広く張り出した形態であり、粉粒体を収容して、繰出装置（３）で繰出す粉粒体を噴風圧等で施用パイプ等を介して噴送する形態とする。雨天時の作業では、このホッパ（２）の上側が、適宜の高さ、及び広さ等で、後下り傾斜、又は左右下り傾斜に形成のバイザ（４）で覆われるため、雨水はこのバイザ（４）によって運転席（１）に対して後側、又は左右外側方へ向けて反射されたり、流下されて、粉粒体ホッパ（２）内への浸入を防止する。
【発明の効果】
【０００５】
請求項１に記載の発明は、粉粒体ホッパ（２）の上側に沿って設けられるバイザ（４）は、高さや広さ等を粉粒体ホッパ（２）の形態に応じて適切に構成することがせきるため、比較的低く、狭い形態として雨水の粉粒体ホッパ（２）への降りかかりを有効に防止して、粉粒体の円滑な繰出、施用を維持することができる。又、バイザ（４）を狭く、低く形成して風圧による抵抗を受け難くし、このバイザ（４）上面に降りかかる雨水を、後下り、乃至左右下りの傾斜面に反射、乃至流下させて、運転席（１）側への飛散、流下を少なくすることができると共に、粉粒体ホッパ（２）上のホッパ蓋を開閉して粉粒体を供給するときは、このバイザ（４）の運転席（１）側が高く形成されるため、作業操作を行い易くすることができる。
【発明を実施するための最良の形態】
【０００６】
図例に基づいて、多条施用機として、多条植形態の苗植機に、粉粒体形態の肥料を施肥する施肥装置７を設ける形態を例示する。苗植機の車体８は、前部のダッシュボード９上のステアリングハンドル１０で操向する前輪１１と、運転席１の後方でリヤアクスルハウジング１２に軸装された後輪１３とを有し、運転席１のシートカバ１４下に形成のエンジンルーム内に搭載のエンジン１５によってこれら前輪１１、後輪１３を駆動して走行する四輪駆動形態のトラクタを構成する。施肥装置７は、上部のバイザ４で覆われた粉粒体ホッパ２と、このホッパ２の粉粒体を繰出す繰出装置３、この繰出された粉粒体を噴送する送風装置１６、及びこの噴送される粉粒体を苗植装置１７の各苗植付条位置に施用する施用ホース１８等から構成されるもので、前記車体８の後部に立設するリヤフレーム１９上に設けられる。苗植装置１７は、苗植伝動ケース２０を車体として、上側には、マット形態に育苗されたマット苗を載せて後下方へ繰出す多条形態の苗タンク２１を並列し、後部には、各苗タンク２１から繰出されるマット苗を所定本数に分離しながら保持してダブルクランク形態の植付軌跡線Ｄを描いて土壌面へ植付ける苗植付爪２２を多条の六条植、乃至八条植形態に配置し、下部には、土壌面に接地滑走しながら上下揺動して各苗植付爪２２の作動位置を均平するセンタフロート２３、及びサイドフロート２４等を配置する。この苗植伝動ケース２０の前部中央部に、ローリング軸２５を介してリヤリンク２６に装着する。前記車体８のリヤフレーム１９には、上下一対の平行リフトリンク２７を連結して、リフトシリンダ２８の伸縮によって昇降制御可能に設け、このリフトリンク２７の後端にリヤリンク２６が設けられて、苗植装置１７が昇降制御可能に設けられる。前記車体８上のステップフロア２９の外側には補助苗載枠３０が配置され、車体８の中央前端部にはセンタポール３１が設けられる。
【０００７】
前記施肥装置７は、苗植付条数に応じた繰出ローラ３５を横方向の繰出軸３６周りに回転する繰出ケース３７を並列して、リヤフレーム１９上の支持フレーム３８に沿って取付け支持する。各繰出ケース３７の上側には粉粒体ホッパ２をのぞませるホッパ口３９が形成され、下側には繰出口４０が形成される。繰出ローラ３５の回転によって、上側のホッパ２及びホッパ口３９から流下される粉粒体肥料を繰出口４０から下側の施肥用パイプ４１へ繰出すことができる。各繰出ケース３７の前側には、該繰出ローラ３５の周面に摺接するブラシ４２や、繰出ローラ３５上側を開閉するシャッタ４３が設けられる。又、繰出ケース３７の後側部には、繰出ローラ３５上側部の繰出室４５に通ずる排出口４４を設け、この排出口４４の途中に設ける排出弁４６の開閉によって、繰出室４５に残留する粉粒体肥料を、この各排出口４４に連通する回収パイプ４７へ排出回収することができる。各排出弁４６は横方向に沿う弁軸４８に取付けられて、ピニオンギヤ４９、５０の噛合によって回動されて開閉回動される。又、この繰出室４５の残留肥料を排出回収するときは、繰出ケース３７を後部の傾斜回動軸５１の周りに後側へ回動させて、後傾斜にすることができる。この傾斜回動軸５１はリヤフレーム１９上のブラケット５２、及びベース５３に支持して設けられて、この傾斜回動軸５１周りに、図６、図７のように前記繰出ケース３７を有する支持フレーム３８と、前記施肥パイプ４１や送風パイプ５４を一体とする支持ブラケット５５と各別に上下回動可能に設けられる。
【０００８】
前記粉粒体ホッパ２は、各繰出ケース３７の上側にわたって横方向に幅広く形成されて、各ケース３７毎に仕切板を形成することもできる。上側には後側のヒンジ５６周りに上下回動して開閉可能のホッパ蓋５７を有する。この開閉によってホッパ２内へ粉粒体肥料を供給できる。この粉粒体ホッパ５の上方には、このホッパ蓋５７を開閉操作可能の高さ位置に板状、乃至シート形態のバイザ４を支持構成する。このバイザ４は前記左右両側にわたる支持フレーム３８から上方に突出する支柱５８上の横方向の支軸５９の周りに上下回動可能に設けられ、後傾斜に形成し、前端には立上縁６０を形成して、反射する雨水が前側の運転席１部へ飛散さしないように形態とし、このホッパ２下部に配置する繰出ケース３７部や、横端のブロワ６１から送風パイプ５４を介して各施用パイプ４１へ送風される送風装置１６、及び回収パイプ４７等の上方を被覆する広さ形態に構成する。運転者が粉粒体肥料をホッパ２に供給するときは、バイザ４下側の蓋５７をヒンジ５６周りに回動して開くことによって行われる。このときバイザ４が低過ぎるときは、支軸５９の周りに上方へ開くように回動操作することによって、バイザ４を適度に開くことができる。又、ホッパ蓋５７を開いた状態を保持する保持具、乃至フック等をバイザ４の下面との間に設けることができる。ホッパ蓋５７の保持を安定させて、肥料の供給蓋５７の開保持を安定させて、肥料の供給を容易に行わせることができる。
【０００９】
又、このバイザ４は、後下り傾斜と共に、又は後下り傾斜とは別に横幅方向の中央部から左右両側方向にわたって左右下りに傾斜する構成とすることもできる。この形態ではバイザ４の前端縁、及び後端縁に沿って立上縁６０を形成して、雨水の前後方向への反射を少くすると共に、左右外側方への流下案内を的確に行わせる形態とすることができる。
【００１０】
前記施肥装置７においては、各繰出ケース３７の下側の施肥パイプ４１に繰出された肥料は、ブロワ６１から送風パイプ５４を経て送られる圧風を受けて各施用ホース１８へ噴送されて、苗植装置１７の各フロート２３、２４で均平される苗植付土壌面へ施用される。又、施肥作用後に繰出室４５やホッパ２等に残留した肥料を機外へ取出回収するときは、排出弁４６を開いて、更には繰出ケース３７をホッパ２と共に傾斜回動軸５１の周りに後側へ回動させて傾斜させる。このときブロワ６１からの送風は切替弁６２で回収パイプ４７側へ切替えられて、この回収パイプ４７内を肥料が風圧搬送されて機外へ回収される。このようなホッパ２の傾斜回動に連動して、ブロア６１の回転数を高くするように構成して、残留肥料の回収作用を速かに行わせることができる。このブロワ６１の連動には、ブロア６１を駆動するエンジンの回転数や、伝動機構の切替え等を行う形態とする。又、前記送風パイプ５４にあっては、これに配設される特定の詰り個所の施用パイプ４１の分岐部における風速を高めることができるように、この施風パイプ４１への送風案内を行う堰板を送風パイプ５４内数個所に設けることができる。又、この堰板は送風パイプ５４内へ差込調節可能に設けたり、送風パイプ５４内に沿って移動調節可能にして詰り個所の風圧を高めるように設けることができる。更には、各施用パイプ４１への分岐部を開閉調節するシャッタ等との関連調節によって、各施用パイプ４１への粉粒体肥料の均等分配施用を行う形態とすることができる。
【００１１】
前記ステアリングハンドル１０には、図９〜図１１のように中央部に操作部７０を設け、又、ダッシュボード９上の計器盤７１前縁には表示部７２を設けて、肥料の比重や、繰出量の設定可能に構成する。又、これら操作部７０と計器盤７１との間は、手動操作可能の施肥切替レバー７３を設ける。該操作部７０には、比重と施肥モードとに切替える施肥設定スイッチ７４と、増、減スイッチ７５、７６と、累計リセットスイッチ７７と、可変スイッチ７８等を配置する。可変スイッチ７４や施肥設定スイッチ７４等で比重モード、施設モードの切替えを行いながら、増、減スイッチ７５、７６の操作でこれら比重や、施肥量を変更調節して設定する構成としている。又、表示部７２には、これら比重や施肥量等を表示する液晶表示パネル７９や、これら切替表示させる表示切替スイッチ８０等が設けられる。前記施肥切替レバー７３は、ステアリングポスト８０上の上下前後のレバーガイド８１、８２に案内させて操作することができ、上下方向のレバーガイド８１に操作すれば前記比重や施肥量を増、減することができ、前後方向のレバーガイド８２に操作すれば比重変更と施肥量変更とのモード切替可能の構成とし、前記操作部７０における各スイッチ７４、７５、７６、７８等による操作と略同様の操作を行うことができる。このような施肥切替レバー７３は、ハンドル１０を把持したまま、走行しながらの運転姿勢で操作されるため、操作性、作業性を高めることができる。
【００１２】
次に主として図１２に基づいて、前記ダッシュボード９の計器盤７１部に、前記表示部７２と共に操作部７０を配置して、ステアリングハンドル１０の内周部から見易くする構成としている。又、前記施肥切替レバー７３によって、苗植装置１７を昇降したり、植付爪２２を伝動する油圧、植付の作動を切替え可能とする構成とし、操作性を向上することができる。この施肥切替レバー７３は、フィンガレバーの操作形態とし、上側位置では施肥量と比重を切替える切替位置にし、下側位置では苗植装置１７を油圧昇降と、植付作動位置に切替可能な操作を電気的連動構成とする。
【００１３】
次に主として図１３に基づいて、前記ステアリングハンドル１０の中央部に、施肥量及び比重を入力するリモコン操作形態の調節装置８１を、前記表示部７２と略同形態に設け、前記センタポール３１を利用して、この上端にアンテナ８２を設ける。このアンテナ８２を経てダッシュボード９上のコントローラ８３に指令制御可能に構成する。又、前記苗植装置１７の苗植伝動ケース２０後部上、乃至苗植フレーム構成部材にプッシュスイッチ形態の植付停止スイッチ８６を設けて、この苗植付部の近くで植付停止スイッチ８６を操作して、苗植付爪２２の伝動クラッチを電磁連動等で切って植付作動を非常停止することができる。苗植付近傍で一人作業で植付停止操作できるため、安全性、操作性を向上し、メンテナンス性を高めることができる。
【００１４】
又、このような植付停止スイッチ８６と同様のスイッチ８７を、運転姿勢での足による踏込み操作で入り切り可能にして、ダッシュボード９下のステップフロア２９部に設けて、操作し易くしている。
【図面の簡単な説明】
【００１５】
【図１】苗植機の側面図。
【図２】その平面図。
【図３】その施肥装置部の平面図。
【図４】その背面図。
【図５】その施肥装置部の側面図。
【図６】その一部作用状態を示す側面図。
【図７】その一部作用状態を示す側面図。
【図８】その繰出ケース部の側断面図。
【図９】ステアリングハンドル部の平面図と、側面図。
【図１０】その一部の拡大平面図。
【図１１】その表示部の拡大平面図。
【図１２】一部別例を示すステアリングハンドル部の平面図。
【図１３】一部別例を示す苗植機の側面図と、ステアリングハンドル部の平面図。
【符号の説明】
【００１６】
１    運転席
２    粉粒体ホッパ
３    繰出装置
４    バイザ
【図１】
2007014264.tif 000003
【図２】
2007014264.tif 000004
【図３】
2007014264.tif 000005
【図４】
2007014264.tif 000006
【図５】
2007014264.tif 000007
【図６】
2007014264.tif 000008
【図７】
2007014264.tif 000009
【図８】
2007014264.tif 000010
【図９】
2007014264.tif 000011
【図１０】
2007014264.tif 000012
【図１１】
2007014264.tif 000013
【図１２】
2007014264.tif 000014
【図１３】
2007014264.tif 000015